(57)【特許請求の範囲】
【請求項１】
発光素子に電力を供給するための給電アタッチメントとして、上記発光素子を囲むように形成された絶縁部材に、上記発光素子との電気的導通を図るための１対のバスバー電極が、それぞれ一部を露出させた状態で埋設されてなる給電アタッチメントを製造する方法であって、
金属板を打ち抜くことにより上記発光素子を囲む形状のバスバーを形成した後、上記バスバーを少なくとも２箇所において切断することにより上記１対のバスバー電極を形成するようにし、
その際、上記バスバーを切断する態様として２種類の切断態様を設定した上で、上記各切断態様毎に上記少なくとも２箇所の切断位置を異なる位置に設定することにより、上記各バスバー電極において上記絶縁部材の内周側に露出した端子部の極性が互いに逆になるようにする、ことを特徴とする給電アタッチメントの製造方法。
【請求項２】
上記バスバーを切断する際、上記各バスバー電極において上記絶縁部材の内周側に露出した端子部となるべき部分に曲げ加工を施す、ことを特徴とする請求項１記載の給電アタッチメントの製造方法。
【請求項３】
上記各バスバー電極において上記絶縁部材の内周側に露出した端子部に関して、
上記バスバーを形成する際、上記端子部よりも数が多い複数の端子部候補を形成しておき、
上記バスバーを切断する際、上記複数の端子部候補のうち一部の端子部候補を切除することにより上記端子部を形成するようにし、
その際、上記各切断態様毎に上記切除の対象となる端子部候補を異なるものに設定する、ことを特徴とする請求項１または２記載の給電アタッチメントの製造方法。
【発明の詳細な説明】
【技術分野】
【０００１】
本願発明は、発光素子に電力を供給するための給電アタッチメントを製造する方法に関するものである。
【背景技術】
【０００２】
従来より、例えば「特許文献１」に記載されているように、発光ダイオード等の発光素子に電力を供給するための給電アタッチメントの構成として、発光素子を囲むように形成された絶縁部材に、発光素子との電気的導通を図るための１対のバスバー電極が、それぞれ一部を露出させた状態で埋設されたものが知られている。
【０００３】
なお「特許文献２」には、必要な導電パターンに応じてパターン形成部の格子を切断することにより所望の回路パターンを形成し得るように構成されたジョイントコネクタおよびその製造方法が記載されている。
【先行技術文献】
【特許文献】
【０００４】
【特許文献１】特開２０１４−１９７５５０号公報
【特許文献２】特開平８−２５０２４７号公報
【発明の概要】
【発明が解決しようとする課題】
【０００５】
上記「特許文献１」に記載されているような給電アタッチメントを使用する際、その用途によっては１対のバスバー電極の極性を逆にして使用したい場合がある。例えば、給電アタッチメントを車両用灯具等に使用する際には、その灯具の種類に応じて１対のバスバー電極の極性を逆にして使用することが好ましい場合がある。
【０００６】
しかしながら、一般に発光素子はその極性が決まっているので、１対のバスバー電極の極性を逆にして使用する場合には、新たな給電アタッチメントを製造する必要があり、その製造コストが掛かってしまう。
【０００７】
本願発明は、このような事情に鑑みてなされたものであって、発光素子に電力を供給するための給電アタッチメントとして、１対のバスバー電極の極性が互いに逆に設定された２種類の給電アタッチメントを製造する際、これらを安価に製造することができる、給電アタッチメントの製造方法を提供することを目的とするものである。
【課題を解決するための手段】
【０００８】
本願発明は、バスバーを切断することによって１対のバスバー電極を形成するようにした上でその切断位置に工夫を施すことにより、上記目的達成を図るようにしたものである。
【０００９】
すなわち、本願発明に係る給電アタッチメントは、
発光素子に電力を供給するための給電アタッチメントとして、上記発光素子を囲むように形成された絶縁部材に、上記発光素子との電気的導通を図るための１対のバスバー電極が、それぞれ一部を露出させた状態で埋設されてなる給電アタッチメントを製造する方法であって、
金属板を打ち抜くことにより上記発光素子を囲む形状のバスバーを形成した後、上記バスバーを少なくとも２箇所において切断することにより上記１対のバスバー電極を形成するようにし、
その際、上記バスバーを切断する態様として２種類の切断態様を設定した上で、上記各切断態様毎に上記少なくとも２箇所の切断位置を異なる位置に設定することにより、上記各バスバー電極において上記絶縁部材の内周側に露出した端子部の極性が互いに逆になるようにする、ことを特徴とするものである。
【００１０】
上記「給電アタッチメント」は、発光素子に電力を供給するための機能のみを備えた構成であってもよいし、例えば発光素子の駆動回路等のような他の機能を兼ね備えた構成であってもよい。
【００１１】
上記「絶縁部材」の種類は特に限定されるものではなく、例えば樹脂製の部材やセラミックス製の部材等が採用可能である。
【００１２】
上記「発光素子」の種類は特に限定されるものではなく、例えば発光ダイオードやレーザダイオード等が採用可能である。
【００１３】
上記「バスバー」は、発光素子を囲む形状であって、かつ、その切断位置を異なる位置に設定したときに１対のバスバー電極を逆の極性で形成することができる形状を有するものであれば、その具体的な形状は特に限定されるものではない。
【発明の効果】
【００１４】
本願発明においては、バスバーを切断する態様として２つの切断態様を設定した上で、これら各切断態様毎に少なくとも２箇所の切断位置を異なる位置に設定することにより１対のバスバー電極の極性が互いに逆になるようにしているので、１対のバスバー電極の極性が互いに逆に設定された２種類の給電アタッチメントを製造する際、共通のバスバーを用いることができる。したがって、２種類の給電アタッチメントを安価に製造することができる。
【００１５】
このように本願発明によれば、発光素子に電力を供給するための給電アタッチメントとして、１対のバスバー電極の極性が互いに逆に設定された２種類の給電アタッチメントを製造する際、これらを安価に製造することができる。
【００１６】
上記構成において、バスバーを切断する際、各バスバー電極において絶縁部材の内周側に露出した端子部となるべき部分に曲げ加工を施すようにすることも可能である。
【００１７】
このような製造方法を採用することにより、バスバーを表裏反転させた状態で１対のバスバー電極を形成するようにした場合であっても、２種類の給電アタッチメントの各々で各バスバー電極の端子部にバネ性を持たせることができる。そしてこれにより、発光素子の向きを一定にした状態で２種類の給電アタッチメント相互間において各バスバー電極と外部電極との電気的導通位置を逆にすることができ、かつ、各バスバー電極と発光素子との電気的導通を確実に図ることができる。
【００１８】
上記構成において、次のような製造方法を採用することも可能である。
【００１９】
すなわち、各バスバー電極において絶縁部材の内周側に露出した端子部に関して、バスバーを形成する際、端子部よりも数が多い複数の端子部候補を形成しておき、バスバーを切断する際、複数の端子部候補のうち一部の端子部候補を切除することにより端子部を形成するようにし、その際、各切断態様毎に切除の対象となる端子部候補を異なるものに設定することも可能である。
【００２０】
このような製造方法を採用することにより、１対のバスバー電極の極性が互いに逆に設定された２種類の給電アタッチメントとして、各バスバー電極の端子部の配置が互いに異なるものを製造することができる。したがって、各バスバー電極と発光素子との電気的導通位置を、２種類の給電アタッチメント相互間において異なる位置に設定することができる。そしてこれにより、２種類の給電アタッチメント相互間において発光素子を逆向きに配置した場合であっても、給電アタッチメントの向きを一定にした状態で各バスバー電極と外部電極との電気的導通を図ることができる。
【００２１】
なお、上記「各バスバー電極において絶縁部材の内周側に露出した端子部」の数は、単数であってもよいし複数であってもよい。
【図面の簡単な説明】
【００２２】
【図１】本願発明の第１実施形態に係る給電アタッチメントの製造方法によって製造された２種類の給電アタッチメントを光源ユニットと共に示す平面図
【図２】上記２種類の給電アタッチメントのうちの一方を光源ユニットと共に示す斜視図
【図３】上記製造方法の主要工程を説明するための平面図
【図４】本願発明の第２実施形態に係る給電アタッチメントの製造方法の主要工程を説明するための平面図
【図５】上記第２実施形態の主要工程を説明するための斜視図
【発明を実施するための形態】
【００２３】
以下、図面を用いて、本願発明の実施の形態について説明する。
【００２４】
まず、本願発明の第１実施形態について説明する。
【００２５】
図１は、本実施形態に係る給電アタッチメントの製造方法によって製造された２種類の給電アタッチメント１０Ａ、１０Ｂを、それぞれ光源ユニット５０と共に示す平面図である。
【００２６】
以下においては、便宜上、図１において、Ｘで示す方向を「前方」、Ｙで示す方向を「右方」として説明する。
【００２７】
本実施形態に係る給電アタッチメントの製造方法について説明する前に、光源ユニット５０および各給電アタッチメント１０Ａ、１０Ｂの構成について説明する。
【００２８】
まず、給電アタッチメント１０Ａの構成について説明する。
【００２９】
図２は、給電アタッチメント１０Ａを光源ユニット５０と共に示す斜視図である。
【００３０】
図１（ａ）および図２に示すように、給電アタッチメント１０Ａは、光源ユニット５０の発光素子５２に電力を供給するための部品であって、光源ユニット５０を囲むように形成された絶縁部材２０に、光源ユニット５０の発光素子５２との電気的導通を図るための１対のバスバー電極３０Ａ１、３０Ａ２が、それぞれ一部を露出させた状態で埋設された構成となっている。
【００３１】
この給電アタッチメント１０Ａは、１対のバスバー電極３０Ａ１、３０Ａ２をインサートとして絶縁部材２０を射出成形することにより形成されるインサート成形品であって、その絶縁部材２０は樹脂製部材として構成されており、１対のバスバー電極３０Ａ１、３０Ａ２はいずれも金属製部材として構成されている。
【００３２】
絶縁部材２０は、平面視において横長矩形状の外形形状を有する板状部材であって、その左右方向の中心位置には、横長矩形状の開口部２０ａが形成されている。
【００３３】
光源ユニット５０は、発光素子５２が光源支持部材５４の上面に固定支持された構成となっている。
【００３４】
発光素子５２は、平面視において横長矩形状の発光面５２ａを有する発光ダイオードで構成されている。
【００３５】
光源支持部材５４は、平面視において横長矩形状の外形形状を有しており、その上面には、発光素子５２のカソード電極およびアノード電極とそれぞれ電気的に接続された１対の端子部５４ａ、５４ｂが設けられている。これら１対の端子部５４ａ、５４ｂは、図１（ａ）において網線で示すように、発光素子５２の左右両側における後方寄りの部分に設けられている。
【００３６】
この光源ユニット５０は、例えば、図２において２点鎖線で示すようなヒートシンク６０に載置された状態で使用されるようになっている。なお、このヒートシンク６０は、平面視において絶縁部材２０と略同一サイズの横長矩形状の外形形状を有しており、その上面には絶縁部材２０の開口部２０ａよりもひと回り小さい外形形状を有する光源ユニット載置部６０ａが段上がりで形成されており、また、その下面には前後方向に延びる複数の放熱フィン６０ｂが形成されている。
【００３７】
給電アタッチメント１０Ａの絶縁部材２０には、その左右前端部および中央後端部にネジ孔２０ｂが形成されている。そして、ヒートシンク６０の光源ユニット載置部６０ａに光源ユニット５０を載置し、さらに給電アタッチメント１０Ａをヒートシンク６０に載置して、これらをネジ締め固定することにより、光源ユニット５０を位置決めした状態で、その発光素子５２と１対のバスバー電極３０Ａ１、３０Ａ２との電気的導通を図るようになっている。
【００３８】
次に、給電アタッチメント１０Ａの各バスバー電極３０Ａ１、３０Ａ２の具体的な構成について説明する。
【００３９】
図１（ａ）に示すように、左側に位置するバスバー電極３０Ａ１は、絶縁部材２０の内周側に露出した２つの端子部３０Ａ１ａにおいて光源支持部材５４の端子部５４ａに当接することにより、発光素子５２と電気的に接続されるようになっている。同様に、右側に位置するバスバー電極３０Ａ２は、絶縁部材２０の内周側に露出した２つの端子部３０Ａ２ａにおいて光源支持部材５４の端子部５４ｂに当接することにより、発光素子５２と電気的に接続されるようになっている。
【００４０】
これら左右２対の端子部３０Ａ１ａ、３０Ａ２ａは、絶縁部材２０の開口部２０ａの前後方向中心位置からやや後方側に変位した位置において、互いに前後方向に近接した状態で配置されている。そしてこれにより、光源支持部材５４における左右１対の１対の端子部５４ａ、５４ｂが発光素子５２の左右両側における後方寄りの部分に位置しているのに対応させるようになっている。
【００４１】
各端子部３０Ａ１ａ、３０Ａ２ａは、平面視において左右方向に帯状に延びるように形成されているが、その途中部分は図２に示すように上方側に湾曲した形状を有しており、そのバネ性によって光源支持部材５４の端子部５４ａとの当接が確実に行われるようにしている。
【００４２】
また、１対のバスバー電極３０Ａ１、３０Ａ２は、絶縁部材２０面の左右後端部において上方側に露出した電源側端子部３０Ａ１ｂ、３０Ａ２ｂを有しており、これら左右１対の電源側端子部３０Ａ１ｂ、３０Ａ２ｂにおいて外部電源（図示せず）と電気的に接続されるようになっている。これら各電源側端子部３０Ａ１ｂ、３０Ａ２ｂは、絶縁部材２０の上面と面一となるように形成されている。
【００４３】
給電アタッチメント１０Ａは、絶縁部材２０の開口部２０ａに対してその前後両側から突出するように配置された前後２対の基板押さえ部３０ｃを備えている。そして、給電アタッチメント１０Ａがヒートシンク６０に載置されたとき、これら前後２対の基板押さえ部３０ｃによって光源支持部材５４を押さえることにより、ヒートシンク６０の光源ユニット載置部６０ａに載置された光源ユニット５０に対して上下方向の位置決めをするようになっている。
【００４４】
これら前後２対の基板押さえ部３０ｃのうち３箇所の基板押さえ部３０ｃは、バスバー電極３０Ａ１の一部として構成されており、残り１箇所の基板押さえ部３０ｃは、バスバー電極３０Ａ２の一部として構成されている。各基板押さえ部３０ｃは、その途中部分が上方側に湾曲した形状を有しており、そのバネ性によって光源支持部材５４に対する押圧が確実に行われるようにしている。
【００４５】
次に、給電アタッチメント１０Ｂの構成について説明する。
【００４６】
図１（ｂ）に示すように、給電アタッチメント１０Ｂの基本的な構成は、給電アタッチメント１０Ａと同様であるが、１対のバスバー電極３０Ｂ１、３０Ｂ２における左右２対の端子部３０Ｂ１ａ、３０Ｂ２ａの配置が給電アタッチメント１０Ａの場合と異なっており、また、絶縁部材２０に埋設された部分の構成も給電アタッチメント１０Ａの場合と異なっている。
【００４７】
すなわち、この給電アタッチメント１０Ｂにおいては、左右２対の端子部３０Ｂ１ａ、３０Ｂ２ａが、給電アタッチメント１０Ａにおける左右２対の端子部３０Ａ１ａ、３０Ａ２ａよりも前方側に変位した状態で配置されている。具体的には、これら左右２対の端子部３０Ｂ１ａ、３０Ｂ２ａは、絶縁部材２０の開口部２０ａの前後方向中心位置に関して左右２対の端子部３０Ａ１ａ、３０Ａ２ａと前後対称の位置関係で配置されている。
【００４８】
また、この給電アタッチメント１０Ｂは、給電アタッチメント１０Ａとは逆の極性を有している。
【００４９】
すなわち、バスバー電極３０Ｂ１において、電源側端子部３０Ｂ１ｂは絶縁部材２０の左後端部に位置しているが、絶縁部材２０に埋設された部分は開口部２０ａの右側に位置する２つの端子部３０Ｂ２ａまで延びている。一方、バスバー電極３０Ｂ２において、電源側端子部３０Ｂ２ｂは絶縁部材２０の右後端部に位置しているが、絶縁部材２０に埋設された部分は開口部２０ａの左側に位置する２つの端子部３０Ｂ１ａまで延びている。
【００５０】
そして、この給電アタッチメント１０Ｂにおいては、その絶縁部材２０の開口部２０ａ内において光源ユニット５０の配置を給電アタッチメント１０Ａの場合に対して前後反転させた状態で、右側に位置する２つの端子部３０Ｂ２ａを光源支持部材５４の端子部５４ａに当接させるとともに、左側に位置する２つの端子部３０Ｂ１ａを光源支持部材５４の端子部５４ｂに当接させ、これにより１対のバスバー電極３０Ｂ１、３０Ｂ２と発光素子５２との電気的導通を１対のバスバー電極３０Ａ１、３０Ａ２の場合と逆の極性で行うようになっている。
【００５１】
図３は、本実施形態に係る給電アタッチメントの製造方法の主要工程を説明するための平面図である。
【００５２】
本実施形態においては、図示しない金属板を打ち抜くことにより図３（ａ）に示すバスバー３０を形成した後、このバスバー３０を切断することにより、図３（ｂ）に示す給電アタッチメント１０Ａ用の１対のバスバー電極３０Ａ１、３０Ａ２と図３（ｂ）に示す給電アタッチメント１０Ｂ用の１対のバスバー電極３０Ｂ１、３０Ｂ２とのいずれか一方を選択的に形成するようになっている。
【００５３】
図３（ａ）に示すように、バスバー３０は、前後２箇所において左右方向に延びる帯状部３０ｄ、３０ｅと、左右２箇所において前後方向に延びる帯状部３０ｆ、３０ｇとを備えており、これらによって光源ユニット５０を囲む大きさの横長矩形状のフレーム部を構成している。
【００５４】
また、このバスバー３０は、帯状部３０ｅの左端近傍位置から上記フレーム部の前後方向中央位置よりもやや前方の位置まで前方へ延びる帯状部３０ｈと、この帯状部３０ｈの前端位置から帯状部３０ｆまで左方へ延びる帯状部３０ｉと、帯状部３０ｇの前後方向中央位置から左方へ延びる太幅の帯状部３０ｊとを備えている。
【００５５】
そして、このバスバー３０には、左右４対の端子部候補３０ａ１、３０ａ２と、左右１対の電源側端子部３０ｂ１、３０ｂ２と、前後２対の基板押さえ部３０ｃとが、予め形成されている。
【００５６】
その際、左側に位置する４つの端子部候補３０ａ１は、上記フレーム部における前後方向中央位置において、帯状部３０ｈから右方へ延びるように形成されており、右側に位置する４つの端子部候補３０ａ２は、帯状部３０ｊから左方へ延びるように形成されている。これら各端子部候補３０ａ１、３０ａ２は、各バスバー電極３０Ａ１、３０Ａ２、３０Ｂ１、３０Ｂ２の各端子部３０Ａ１ａ、３０Ａ２ａ、３０Ｂ１ａ、３０Ｂ２ａと同様の形状（すなわち途中部分が上方側に湾曲した形状）を有している。
【００５７】
また、左右１対の電源側端子部３０ｂ１、３０ｂ２は、左右１対の帯状部３０ｆ、３０ｇにおいて上記フレーム部よりも後方まで延長形成された部分の後端位置から段上がりで延びるように形成されている。その際、これら各電源側端子部３０ｂ１、３０ｂ２は、矩形状に形成された部分がＬ字状に形成された部分を介して帯状部３０ｆ、３０ｇにそれぞれ接続されている。
【００５８】
さらに、前後２対の基板押さえ部３０ｃのうち、前側に位置する左右１対の基板押さえ部３０ｃは、帯状部３０ｄから後方へ延びるように形成されており、後側に位置する左右１対の基板押さえ部３０ｃは、帯状部３０ｅから前方へ延びるように形成されている。これら各基板押さえ部３０ｃは、各バスバー電極３０Ａ１、３０Ａ２、３０Ｂ１、３０Ｂ２の各基板押さえ部３０Ａｃ、３０Ｂｃと同様の形状（すなわち途中部分が上方側に湾曲した形状）を有している。
【００５９】
図３（ｂ）に示す給電アタッチメント１０Ａ用の１対のバスバー電極３０Ａ１、３０Ａ２を形成する際には、図３（ａ）に示すバスバー３０を２箇所において切断するとともに、その左右４対の端子部候補３０ａ１、３０ａ２の一部を切除するようになっている。
【００６０】
具体的には、帯状部３０ｄにおける左右１対の基板押さえ部３０ｃの中間位置Ｐ１と、帯状部３０ｅにおける右側の基板押さえ部３０ｃと帯状部３０ｇとの中間位置Ｐ２とにおいてバスバー３０を一定幅で切断し、かつ、左右４対の端子部候補３０ａ１、３０ａ２のうち、前側に位置する左右２対の端子部候補３０ａ１、３０ａ２を切除することにより、１対のバスバー電極３０Ａ１、３０Ａ２を形成するようになっている。
【００６１】
図３（ｃ）に示す給電アタッチメント１０Ｂ用の１対のバスバー電極３０Ｂ１、３０Ｂ２を形成する際には、図３（ａ）に示すバスバー３０を３箇所において切断するとともに、その左右４対の端子部候補３０ａ１、３０ａ２の一部を切除するようになっている。
【００６２】
具体的には、帯状部３０ｉにおける中間位置Ｐ３と、帯状部３０ｅにおける帯状部３０ｆと帯状部３０ｈとの中間位置Ｐ４と、帯状部３０ｇにおける帯状部３０ｅと帯状部３０ｊとの中間位置Ｐ５とにおいてバスバー３０を一定幅で切断し、かつ、左右４対の端子部候補３０ａ１、３０ａ２のうち、後側に位置する左右２対の端子部候補３０ａ１、３０ａ２を切除することにより、１対のバスバー電極３０Ｂ１、３０Ｂ２を形成するようになっている。
【００６３】
次に本実施形態の作用について説明する。
【００６４】
本実施形態においては、バスバー３０を切断する態様として２つの切断態様を設定した上で、これら各切断態様毎に２箇所ないし３箇所の切断位置を異なる位置に設定することにより、１対のバスバー電極３０Ａ１、３０Ａ２の極性と１対のバスバー電極３０Ｂ１、３０Ｂ２の極性とが互いに逆になるようにしているので、１対のバスバー電極の極性が互いに逆に設定された２種類の給電アタッチメント３０Ａ、３０Ｂを製造する際、共通のバスバー３０を用いることができる。したがって、２種類の給電アタッチメント３０Ａ、３０Ｂを安価に製造することができる。
【００６５】
このように本実施形態によれば、発光素子５２に電力を供給するための給電アタッチメントとして、１対のバスバー電極の極性が互いに逆に設定された２種類の給電アタッチメント３０Ａ、３０Ｂを製造する際、これらを安価に製造することができる。
【００６６】
しかも本実施形態においては、各バスバー電極３０Ａ１、３０Ａ２、３０Ｂ１、３０Ｂ２において絶縁部材２０の内周側に露出した左右２対の端子部３０Ａ１ａ、３０Ａ２ａおよび左右２対の３０Ｂ１ａ、３０Ｂ２ａに関して、バスバー３０を形成する際、左右４対の端子部候補３０ａ１、３０ａ２を形成しておき、バスバー３０を切断する際、左右４対の端子部候補３０ａ１、３０ａ２のうち前側に位置する左右２対の端子部候補３０ａ１、３０ａ２を切除することにより左右２対の端子部３０Ａ１ａ、３０Ａ２ａを形成するとともに、後側に位置する左右２対の端子部候補３０ａ１、３０ａ２を切除することにより左右２対の端子部３０Ｂ１ａ、３０Ｂ２ａを形成するようになっているので、次のような作用効果を得ることができる。
【００６７】
すなわち、１対のバスバー電極の極性が互いに逆に設定された２種類の給電アタッチメント３０Ａ、３０Ｂとして、給電アタッチメント３０Ａにおける各バスバー電極３０Ａ１、３０Ａ２の端子部３０Ａ１ａ、３０Ａ２ａの配置と、給電アタッチメント３０Ｂにおける各バスバー電極３０Ｂ１、３０Ｂ２の端子部３０Ｂ１ａ、３０Ｂ２ａの配置とが互いに異なるものを製造することができる。
【００６８】
したがって、各バスバー電極３０Ａ１、３０Ａ２、３０Ｂ１、３０Ｂ２と発光素子５２との電気的導通位置を、２種類の給電アタッチメント３０Ａ、３０Ｂ相互間において異なる位置に設定することができる。
【００６９】
そしてこれにより、２種類の給電アタッチメント３０Ａ、３０Ｂ相互間において発光素子５２を前後逆向きに配置した場合であっても、給電アタッチメント３０Ａ、３０Ｂの向きを一定にした状態で各バスバー電極３０Ａ１、３０Ａ２、３０Ｂ１、３０Ｂ２と外部電極との電気的導通を図ることができる。
【００７０】
上記第１実施形態においては、給電アタッチメント１０Ａ用の１対のバスバー電極３０Ａ１、３０Ａ２を形成する際、バスバー３０を２箇所の中間位置Ｐ１、Ｐ２で切断するものとして説明したが、バスバー３０を、端子部３０Ａ１ａから電源側端子部３０Ａ１ｂまで延びるバスバー電極３０Ａ１と、端子部３０Ａ２ａから電源側端子部３０Ａ２ｂまで延びるバスバー電極３０Ａ２とに分離し得る位置であれば、その切断位置を中間位置Ｐ１、Ｐ２以外に設定することも可能である。
【００７１】
同様に、上記第１実施形態においては、給電アタッチメント１０Ｂ用の１対のバスバー電極３０Ｂ１、３０Ｂ２を形成する際、バスバー３０を３箇所の中間位置Ｐ３、Ｐ４、Ｐ５で切断するものとして説明したが、バスバー３０を、端子部３０Ｂ１ａから電源側端子部３０Ｂ２ｂまで延びるバスバー電極３０Ｂ２と、端子部３０Ｂ２ａから電源側端子部３０Ｂ１ｂまで延びるバスバー電極３０Ｂ１とに分離し得る位置であれば、その切断位置を中間位置Ｐ３、Ｐ４、Ｐ５以外に設定することも可能である。
【００７２】
次に、本願発明の第２実施形態について説明する。
【００７３】
図４は、本実施形態に係る給電アタッチメントの製造方法の主要工程を説明するための平面図である。
【００７４】
本実施形態においても、便宜上、図４において、Ｘで示す方向を「前方」、Ｙで示す方向を「右方」として説明する。
【００７５】
本実施形態においても、上記第１実施形態の場合と同様、図示しない金属板を打ち抜くことにより図４（ａ）に示すバスバー１３０を形成した後、このバスバー３０を切断することにより、図４（ｂ）に示す給電アタッチメント１１０Ａ用の１対のバスバー電極１３０Ａ１、１３０Ａ２と図４（ｂ）に示す給電アタッチメント１１０Ｂ用の１対のバスバー電極１３０Ｂ１、１３０Ｂ２とのいずれか一方を選択的に形成するようになっている。
【００７６】
図４（ｂ）に示すように、給電アタッチメント１１０Ａは、光源ユニット５０を囲むように形成された絶縁部材１２０Ａに、光源ユニット５０の発光素子５２（図２参照）との電気的導通を図るための１対のバスバー電極１３０Ａ１、１３０Ａ２が、それぞれ一部を露出させた状態で埋設された構成となっている。
【００７７】
すなわち、上記第１実施形態の場合と同様、絶縁部材１２０Ａには光源ユニット５０を囲む大きさの開口部１２０Ａａが形成されており、この開口部１２０Ａａにはバスバー電極１３０Ａ１における左右２対の端子部１３０Ａ１ａ、１３０Ａ２ａと前後２対の基板押さえ部１３０Ａｃが露出している。
【００７８】
また、絶縁部材１２０Ａの左端部には、前方側に開口したソケット部１２０Ａｂが形成されており、その内部空間にはバスバー電極１３０Ａ１の電源側端子部１３０Ａ１ｂ、１３０Ａ２ｂが露出している。なお、絶縁部材１２０Ａの右端部にはネジ締結部１２０Ａｃが形成されている。
【００７９】
図４（ｃ）に示すように、給電アタッチメント１１０Ｂは、光源ユニット５０を囲むように形成された絶縁部材１２０Ｂに、光源ユニット５０の発光素子５２との電気的導通を図るための１対のバスバー電極１３０Ｂ１、１３０Ｂ２が、それぞれ一部を露出させた状態で埋設された構成となっている。
【００８０】
すなわち、絶縁部材１２０Ｂには、絶縁部材１２０Ａと同様の開口部１２０Ｂａが形成されており、この開口部１２０Ｂａにはバスバー電極１３０Ｂ１における左右２対の端子部１３０Ｂ１ａ、１３０Ｂ２ａと前後２対の基板押さえ部１３０Ｂｃが露出している。
【００８１】
また、絶縁部材１２０Ｂの右端部には前方側に開口したソケット部１２０Ｂｂが形成されており、その内部空間にはバスバー電極１３０Ｂ１の電源側端子部１３０Ｂ１ｂ、１３０Ｂ２ｂが露出している。なお、絶縁部材１２０Ｂの左端部にはネジ締結部１２０Ｂｃが形成されている。
【００８２】
図５（ａ）は、バスバー１３０を示す斜視図であり、図５（ｂ）は、給電アタッチメント１１０Ａ用の１対のバスバー電極１３０Ａ１、１３０Ａ２を示す斜視図である。
【００８３】
図４（ａ）および図５（ａ）に示すように、バスバー１３０は、前後２箇所において左右方向に延びる帯状部１３０ｄ、１３０ｅと、帯状部１３０ｄの左端位置から後方へ延びる帯状部１３０ｆ１と、帯状部１３０ｅの左端位置から前方へ延びる帯状部１３０ｆ２と、帯状部１３０ｄ、１３０ｅの右端位置においてこれらを連結するようにして前後方向に延びる帯状部１３０ｇとを備えており、これらによって帯状部１３０ｆ１と帯状部１３０ｆ２との間が空いた横長矩形状のフレーム部を構成している。
【００８４】
このバスバー１３０は、前後１対の帯状部１３０ｄ、１３０ｅの左端位置からやや右方の位置において、その左側部分が一段低くなるように形成されている。
【００８５】
また、このバスバー１３０は、帯状部１３０ｄ、１３０ｅをその段下がりとなっている部分の右方近傍位置において連結するようにして前後方向に延びる帯状部１３０ｈと、帯状部１３０ｆ１の後端位置および帯状部１３０ｆ２の前端位置から左方へ延びる前後１対の帯状部１３０ｉ１、１３０ｉ２とを備えている。
【００８６】
そして、このバスバー１３０には、左右２対の端子部用平板部１３０ａ１、１３０ａ２と、上下１対の電源側端子部１３０ｂ１、１３０ｂ２と、前後２対の基板押さえ部用平板部１３０ｃとが、予め形成されている。
【００８７】
左側に位置する２つの端子部用平板部１３０ａ１は、上記フレーム部における前後方向中央位置よりもやや後方の位置において、帯状部１３０ｈから右方へ延びるように形成されており、右側に位置する２つの端子部用平板部１３０ａ２は、帯状部１３０ｇから左方へ延びるように形成されている。これら各端子部用平板部１３０ａ１、１３０ａ２は平板状に形成されている。
【００８８】
また、上下１対の電源側端子部１３０ｂ１、１３０ｂ２は、前後１対の帯状部１３０ｉ１、１３０ｉ２の左端位置から鉛直面に沿って下方側に延びるように形成されている。その際、上側に位置する電源側端子部１３０ｂ１は、帯状部１３０ｉ１から下方へ延びた後、帯状部１３０ｄよりもやや前方の位置まで前方へ延びるようにしてＬ字状に形成されている。また、下側に位置する電源側端子部１３０ｂ２は、帯状部１３０ｉ２から下方へ延びた後、電源側端子部１３０ｂ１の前端位置と同じ位置まで前方へ延びるようにしてＬ字状に形成されている。
【００８９】
さらに、前後２対の基板押さえ部用平板部１３０ｃのうち、前側に位置する左右１対の基板押さえ部用平板部１３０ｃは、帯状部１３０ｄから後方へ延びるように形成されており、後側に位置する左右１対の基板押さえ部用平板部１３０ｃは、帯状部１３０ｅから前方へ延びるように形成されている。
【００９０】
なお、このバスバー１３０には、前後１対の帯状部１３０ｉ１、１３０ｉ２を連結するようにして前後方向に延びる帯状部１３０ｋが形成されているが、この帯状部１３０ｋは、上記金属板を打ち抜いてバスバー１３０を形成する際に、その途中部分において予め切断されている。
【００９１】
図４（ｂ）に示す給電アタッチメント１１０Ａ用の１対のバスバー電極１３０Ａ１、１３０Ａ２を形成する際には、図４（ａ）に示すバスバー１３０を２箇所において切断するとともに、その左右２対の端子部用平板部１３０ａ１、１３０ａ２および前後２対の基板押さえ部用平板部１３０ｃに対して曲げ加工を施すようになっている。
【００９２】
具体的には、帯状部１３０ｅにおける左右１対の基板押さえ部用平板部１３０ｃの中間位置Ｑ１と、帯状部１３０ｈにおける２つの端子部用平板部１３０ａ１の基端部と帯状部１３０ｄとの中間位置Ｑ２とにおいて、バスバー１３０を一定幅で切断するようになっている。
【００９３】
また、このとき同時に、各端子部用平板部１３０ａ１、１３０ａ２および各基板押さえ部用平板部１３０ｃに対して曲げ加工を施すことにより、図５（ｂ）に示すように、各端子部１３０Ａ１ａ、１３０Ａ２ａをその途中部分が上方側に湾曲した形状に成形するとともに、各基板押さえ部１３０Ａｃをその途中部分が上方側に湾曲した形状に成形するようになっている。
【００９４】
図４（ｃ）に示す給電アタッチメント１１０Ｂ用の１対のバスバー電極１３０Ｂ１、１３０Ｂ２を形成する際には、図４（ａ）に示すバスバー１３０を左右反転させた状態で２箇所において切断するとともに、その左右２対の端子部用平板部１３０ａ１、１３０ａ２および前後２対の基板押さえ部用平板部１３０ｃに対して曲げ加工を施すようになっている。
【００９５】
具体的には、帯状部１３０ｄにおける左右１対の基板押さえ部用平板部１３０ｃの中間位置Ｑ３と、帯状部１３０ｈにおける２つの端子部用平板部１３０ａ１の基端部と帯状部１３０ｅとの中間位置Ｑ４とにおいて、バスバー１３０を一定幅で切断するようになっている。
【００９６】
また、このとき同時に、各端子部用平板部１３０ａ１、１３０ａ２および各基板押さえ部用平板部１３０ｃに対して曲げ加工を施すことにより、各端子部１３０Ｂ１ａ、１３０Ｂ２ａをその途中部分が上方側に湾曲した形状（すなわち各端子部１３０Ａ１ａ、１３０Ａ２ａと同様の形状）に成形するとともに、各基板押さえ部１３０Ｂｃをその途中部分が上方側に湾曲した形状（すなわち各基板押さえ部１３０Ａｃと同様の形状）に成形するようになっている。
【００９７】
次に本実施形態の作用について説明する。
【００９８】
本実施形態においても、バスバー１３０を切断する態様として２つの切断態様を設定した上で、これら各切断態様毎に２箇所の切断位置を異なる位置に設定することにより、１対のバスバー電極１３０Ａ１、１３０Ａ２の極性と１対のバスバー電極１３０Ｂ１、１３０Ｂ２の極性とが互いに逆になるようにしているので、１対のバスバー電極の極性が互いに逆に設定された２種類の給電アタッチメント１３０Ａ、１３０Ｂを製造する際、共通のバスバー１３０を用いることができる。したがって、２種類の給電アタッチメント１３０Ａ、１３０Ｂを安価に製造することができる。
【００９９】
このように本実施形態によれば、発光素子５２に電力を供給するための給電アタッチメントとして、１対のバスバー電極の極性が互いに逆に設定された２種類の給電アタッチメント１３０Ａ、１３０Ｂを製造する際、これらを安価に製造することができる。
【０１００】
しかも本実施形態においては、バスバー１３０を切断する際、各バスバー電極１３０Ａ１、１３０Ａ２、１３０Ｂ１、１３０Ｂ２において絶縁部材１２０Ａ、１２０Ｂの内周側に露出した端子部１３０Ａ１ａ、１３０Ａ２ａ、１３０Ｂ１ａ、１３０Ｂ２ａとなるべき端子部用平板部１３０ａ１、１３０ａ２および各基板押さえ部１３０Ａｃ、１３０Ｂｃになるべき基板押さえ部用平板部１３０ｃに曲げ加工を施すようになっているので、次のような作用効果を得ることができる。
【０１０１】
すなわち、本実施形態のようにバスバー１３０を表裏反転させた状態で１対のバスバー電極を形成するようにした場合であっても、２種類の給電アタッチメント１３０Ａ、１３０Ｂの各々で各バスバー電極１３０Ａ１、１３０Ａ２、１３０Ｂ１、１３０Ｂ２の各端子部１３０Ａ１ａ、１３０Ａ２ａ、１３０Ｂ１ａ、１３０Ｂ２ａおよび各基板押さえ部１３０Ａｃ、１３０Ｂｃにバネ性を持たせることができる。
【０１０２】
そしてこれにより、発光素子５２の向きを一定にした状態で２種類の給電アタッチメント１３０Ａ、１３０Ｂ相互間において各バスバー電極１３０Ａ１、１３０Ａ２、１３０Ｂ１、１３０Ｂ２と外部電極との電気的導通位置を逆にすることができ、かつ、各バスバー電極１３０Ａ１、１３０Ａ２、１３０Ｂ１、１３０Ｂ２と発光素子５２との電気的導通を確実に図ることができる。
【０１０３】
上記第２実施形態においては、給電アタッチメント１１０Ａ用の１対のバスバー電極１３０Ａ１、１３０Ａ２を形成する際、バスバー１３０を２箇所の中間位置Ｑ１、Ｑ２で切断するものとして説明したが、バスバー１３０を、端子部１３０Ａ１ａから電源側端子部１３０Ａ１ｂまで延びるバスバー電極１３０Ａ１と、端子部１３０Ａ２ａから電源側端子部１３０Ａ２ｂまで延びるバスバー電極１３０Ａ２とに分離し得る位置であれば、その切断位置を中間位置Ｑ１、Ｑ２以外に設定することも可能である。
【０１０４】
同様に、上記第２実施形態においては、給電アタッチメント１１０Ｂ用の１対のバスバー電極１３０Ｂ１、１３０Ｂ２を形成する際、バスバー１３０を２箇所の中間位置Ｑ３、Ｑ４で切断するものとして説明したが、バスバー１３０を、端子部１３０Ｂ１ａから電源側端子部１３０Ｂ１ｂまで延びるバスバー電極１３０Ｂ１と、端子部１３０Ｂ２ａから電源側端子部１３０Ｂ２ｂまで延びるバスバー電極１３０Ｂ２とに分離し得る位置であれば、その切断位置を中間位置Ｑ３、Ｑ４以外に設定することも可能である。
【０１０５】
また、上記第１実施形態においても、上記第２実施形態の場合と同様、バスバー３０を形成する段階において、各バスバー電極３０Ａ１、３０Ａ２、３０Ｂ１、３０Ｂ２において絶縁部材２０Ａ、２０Ｂの内周側に露出した端子部３０Ａ１ａ、３０Ａ２ａ、３０Ｂ１ａ、３０Ｂ２ａとなるべき端子部用平板部および各基板押さえ部３０ｃになるべき基板押さえ部用平板部を形成しておき、バスバー３０を切断する際、これら各端子部用平板部および各基板押さえ部用平板部に曲げ加工を施すようにすることも可能である。
【０１０６】
なお、上記各実施形態において諸元として示した数値は一例にすぎず、これらを適宜異なる値に設定してもよいことはもちろんである。
【０１０７】
また、本願発明は、上記各実施形態に記載された構成に限定されるものではなく、これ以外の種々の変更を加えた構成が採用可能である。
【符号の説明】
【０１０８】
１０Ａ、１０Ｂ、１１０Ａ、１１０Ｂ  給電アタッチメント
２０、１２０Ａ、１２０Ｂ  絶縁部材
２０ａ、１２０Ａａ、１２０Ｂａ  開口部
２０ｂ  ネジ孔
３０、１３０  バスバー
３０Ａ１、３０Ａ２、３０Ｂ１、３０Ｂ２、１３０Ａ１、１３０Ａ２、１３０Ｂ１、１３０Ｂ２  バスバー電極
３０Ａ１ａ、３０Ａ２ａ、３０Ｂ１ａ、３０Ｂ２ａ、１３０Ａ１ａ、１３０Ａ２ａ、１３０Ｂ１ａ、１３０Ｂ２ａ  端子部
３０ａ１、３０ａ２  端子部候補
３０ｂ１、３０ｂ２、３０Ａ１ｂ、３０Ａ２ｂ、３０Ｂ１ｂ、３０Ｂ２ｂ、１３０ｂ１、１３０ｂ２、１３０Ａ１ｂ、１３０Ａ２ｂ、１３０Ｂ１ｂ、１３０Ｂ２ｂ  電源側端子部
３０ｃ、１３０Ａｃ、１３０Ｂｃ  基板押さえ部
３０ｄ、３０ｅ、３０ｆ、３０ｇ、３０ｈ、３０ｉ、３０ｊ、１３０ｄ、１３０ｅ、１３０ｆ１、１３０ｆ２、１３０ｇ、１３０ｈ、１３０ｉ１、１３０ｉ２、１３０ｋ  帯状部
５０  光源ユニット
５２  発光素子
５２ａ  発光面
５４  光源支持部材
５４ａ、５４ｂ  端子部
６０  ヒートシンク
６０ａ  光源ユニット載置部
６０ｂ  放熱フィン
１２０Ａｂ、１２０Ｂｂ  ソケット部
１２０Ａｃ、１２０Ｂｃ  ネジ締結部
１３０ａ１、１３０ａ２  端子部用平板部
１３０ｃ  基板押さえ部用平板部
Ｐ１、Ｐ２、Ｐ３、Ｐ４、Ｐ５、Ｑ１、Ｑ２、Ｑ３、Ｑ４  中間位置（切断位置）
【図１】
0006739980.tif 000002
【図２】
0006739980.tif 000003
【図３】
0006739980.tif 000004
【図４】
0006739980.tif 000005
【図５】
0006739980.tif 000006